(57)【要約】      （修正有）【課題】複数枚パックのパッケージを開封した後でも、各収納ケースに収納された光記録媒体の使用の有無を容易に把握することが可能な光記録媒体収納ケース用インデックスカードを提供する。【解決手段】光記録媒体収納ケース用インデックスカードであって、光記録媒体収納ケース１のケースカバー３内に挿入されたときに光記録媒体収納ケース１の開口部側に位置する一辺に、内側への折り曲げと外側への引き出しが自在に構成されたタグ２１が形成されている光記録媒体収納ケース用インデックスカード。【選択図】図５
0003107461.tif 000002
【実用新案登録請求の範囲】
【請求項１】
光記録媒体収納ケースのケースカバー内に挿入されたときに前記光記録媒体収納ケースの開口部側に位置する一辺に、内側への折り曲げと外側への引き出しが自在に構成されたタグが形成されていることを特徴とする光記録媒体収納ケース用インデックスカード。
【請求項２】
複数の前記タグが形成されていることを特徴とする請求項１に記載の光記録媒体収納ケース用インデックスカード。
【請求項３】
ケース本体と、前記ケース本体の一端部に回動自在に軸支されたケースカバーと、前記ケースカバーに挿入されるインデックスカードを備え、前記インデックスカードが、前記ケースカバーに挿入されたときに前記ケース本体と前記ケースカバーとの開口部側に位置する一辺に、内側への折り曲げと外側への引き出しが自在に構成されたタグを有していることを特徴とする光記録媒体収納ケース。
【請求項４】
前記ケースカバーに、前記インデックスカードの飛び出しを防止するための複数の突起が形成され、前記インデックスカードの前記タグが、隣り合う前記突起間の間隙に対応する位置に形成されるとともに、前記タグの長手方向の長さが、前記隣り合う突起間の間隙よりも短くなるように形成されていることを特徴とする請求項３に記載の光記録媒体収納ケース。
【考案の詳細な説明】
【技術分野】
【０００１】
本考案は、光記録媒体収納ケース用インデックスカードに関するものであり、さらに詳細には、複数枚パックのパッケージを開封した後でも、各収納ケースに収納された光記録媒体の使用の有無を容易に把握することが可能な光記録媒体収納ケース用インデックスカードに関するものである。
【０００２】
また、本考案は、光記録媒体収納ケースに関するものであり、さらに詳細には、複数枚パックのパッケージを開封した後でも、各収納ケースに収納された光記録媒体の使用の有無を容易に把握することが可能な光記録媒体収納ケースに関するものである。
【背景技術】
【０００３】
従来より、デジタルデータを記録するための記録媒体として、ＣＤやＤＶＤに代表される光記録媒体が広く利用されている。これらの光記録媒体のうち、ユーザーによって、データを記録することが可能なものには、ＣＤ−ＲやＤＶＤ−Ｒのように、データの追記が可能な追記型光記録媒体と、ＣＤ−ＲＷやＤＶＤ−ＲＷのように、データの書き換えが可能な書き換え型光記録媒体とがある。
【０００４】
これらの光記録媒体は、レーザビームを照射し、その反射光を読み取ることによって、記録されたデータが再生されるように構成されているため、光記録媒体の表面に、傷などが付かないように十分に配慮する必要がある。
【０００５】
そこで、光記録媒体の保存、運搬時には、光記録媒体が専用の収納ケースに収納され、光記録媒体の表面の保護が図られている。
【０００６】
図１１は、光記録媒体収納ケースの構成を示す略斜視図である。
【０００７】
図１１に示されるように、光記録媒体収納ケース６０は、ケース本体６１と、ケース本体６１の内側に嵌挿されたトレイ６２と、ケース本体６１の後端部に回動自在に軸支されたケースカバー６３とを備えている。
【０００８】
トレイ６２は、その表面中央部に、収納すべき光記録媒体の形状に対応した凹部６５と、光記録媒体のセンターホールの形状に対応した凸部６６とが形成され、これら凹部６５および凸部６６によって、光記録媒体を保持するように構成されている。
【０００９】
ケースカバー６３は、その左右側壁に、複数の突起６４が形成されており、光記録媒体の種類を表示したり、光記録媒体に記録したデータの内容を記入するためのインデックスカードを出し入れすることができるように構成されている。
【００１０】
また、ケース本体６１とトレイ６２との間には、バックカードが封入されており、このバックカードには、インデックスカードと同様に、光記録媒体に記録したデータの内容が記入され、あるいは光記録媒体の種類や光記録媒体の取扱い説明などが表示される。
【考案の開示】
【考案が解決しようとする課題】
【００１１】
上述した光記録媒体においては、収納ケースに収納された状態で、１枚ずつ単体で販売されるタイプのみならず、光記録媒体を収納した収納ケースの複数枚を、１セットにして、樹脂フィルムなどによりパッケージングした複数枚パックの状態で販売されるタイプも広く普及している。
【００１２】
しかしながら、複数枚パックの状態で販売された光記録媒体は、各収納ケースを個々にパッケージングするのではなく、複数枚の収納ケースを１セットにしてパッケージングすることが一般的であるため、パッケージを開封してしまうと、各収納ケースに収納されている光記録媒体の使用の有無を把握することが困難になるという問題があった。
【００１３】
こうした問題は、光記録媒体の使用の有無や、光記録媒体に記録したデータの内容を、インデックスカードやバックカードに表示することによって、解決を図ることができるが、キャビネットなどに、収納ケースの背面や開口部が手前側に位置するように、収納ケースを並べて保管した場合には、使用の有無や、記録データの内容を表示した面が、隣の収納ケースによって隠されてしまい、光記録媒体の使用の有無を、一見して、確認することができないという不都合が生じる。
【００１４】
また、インデックスカードやバックカードを、収納ケースの背面まで回り込むように形成し、この収納ケースの背面に、光記録媒体の使用の有無や、光記録媒体に記録したデータの内容を、表示することも考えられるが、近年においては、収納ケースのスリム化が図られ、収納ケースが非常に薄く形成されているため、そのような狭い領域に、文字を正確に記入することは困難である。
【００１５】
さらに、スリム化が図られたスリムタイプの収納ケースにおいては、ケース本体とトレイとが一体的に成形されたものが多く普及してきているため、収納ケースに、バックカードを挿入することができないという問題もある。
【００１６】
したがって、本考案は、複数枚パックのパッケージを開封した後でも、各収納ケースに収納された光記録媒体の使用の有無を容易に把握することが可能な光記録媒体収納ケース用インデックスカードを提供することを目的とする。
【００１７】
さらに、本考案の他の目的は、複数枚パックのパッケージを開封した後でも、各収納ケースに収納された光記録媒体の使用の有無を容易に把握することが可能な光記録媒体収納ケースを提供することにある。
【課題を解決するための手段】
【００１８】
本考案の前記目的は、光記録媒体収納ケースのケースカバー内に挿入されたときに前記光記録媒体収納ケースの開口部側に位置する一辺に、内側への折り曲げと外側への引き出しが自在に構成されたタグが形成されていることを特徴とする光記録媒体収納ケース用インデックスカードによって達成される。
【００１９】
本考案によれば、光記録媒体が未使用の状態のときには、タグを内側に折り曲げて、インデックスカードをケースカバーに挿入し、タグが収納ケースの外側から見えない状態で、光記録媒体を収納ケース内に収納することでき、一方、光記録媒体が使用済みの状態のときには、タグを外側に引き出して、タグが収納ケースの開口部側から外側に突出した状態で、光記録媒体を収納ケース内に収納することができる。したがって、複数枚パックのパッケージを開封した後でも、タグが突出しているか否かに基づいて、収納ケース内に収納された光記録媒体の使用の有無を容易に把握することが可能となる。
【００２０】
また、複数の収納ケースを並べて保管する場合にも、タグが突出している部分が上側、あるいは手前側に位置するように、収納ケースを載置すれば、タグが突出しているか否かを、一見して、認識することができるので、キャビネットなどに収納ケースを収容したままの状態で、各収納ケース内に収納されている光記録媒体の使用の有無を、容易に把握することができる。
【００２１】
本考案の好ましい実施態様においては、インデックスカードに、複数のタグが形成されている。
【００２２】
本考案の好ましい実施態様によれば、インデックスカードに複数のタグが形成されているので、複数の収納ケースを並べて保管する場合に、隣り合う収納ケース間で、互いに異なる箇所のタグを引き出すことができる。このため、隣接する収納ケースから突出しているタグが同一直線上に並ばないようにして、複数の収納ケースを保管することができるので、タグに記入した内容や、タグに付した着色などを、容易に確認することが可能となる。
【００２３】
また、本考案の前記他の目的は、ケース本体と、前記ケース本体の一端部に回動自在に軸支されたケースカバーと、前記ケースカバーに挿入されるインデックスカードを備え、前記インデックスカードが、前記ケースカバーに挿入されたときに前記ケース本体と前記ケースカバーとの開口部側に位置する一辺に、内側への折り曲げと外側への引き出しが自在に構成されたタグを有していることを特徴とする光記録媒体収納ケースによって達成される。
【００２４】
本考案の好ましい実施態様においては、前記ケースカバーに、前記インデックスカードの飛び出しを防止するための複数の突起が形成され、前記インデックスカードの前記タグが、隣り合う前記突起間の間隙に対応する位置に形成されるとともに、前記タグの長手方向の長さが、前記隣り合う突起間の間隙よりも短くなるように形成されている。
【００２５】
本考案の好ましい実施態様によれば、タグを外側に引き出した状態で、収納ケースを閉じたときに、ケースカバーに形成された複数の突起に、タグが当接するのを防止することができる。
【考案の効果】
【００２６】
本考案によれば、複数枚パックのパッケージを開封した後でも、各収納ケースに収納された光記録媒体の使用の有無を容易に把握することが可能な光記録媒体収納ケース用インデックスカードを提供することが可能となる。
【００２７】
また、本考案によれば、複数枚パックのパッケージを開封した後でも、各収納ケースに収納された光記録媒体の使用の有無を容易に把握することが可能な光記録媒体収納ケースを提供することが可能になる。
【考案を実施するための最良の形態】
【００２８】
以下、添付図面に基づいて、本考案の好ましい実施態様につき、詳細に説明を加える。
【００２９】
図１は、本考案の好ましい実施態様にかかる光記録媒体用収納ケースの略斜視図である。
【００３０】
図１に示されるように、本実施態様にかかる収納ケース１は、光記録媒体を保持するケース本体２と、ケース本体２の後端部に回動自在に軸支されたケースカバー３とを備えている。本実施態様において、収納ケース１は、その厚さが非常に薄くされたスリムタイプに形成されている。
【００３１】
ケース本体２は、その表面中央部に、収納すべき光記録媒体の形状に対応した凹部５と、光記録媒体のセンターホールの形状に対応した凸部６とが形成され、これらは、ケース本体２と一体的に形成されている。
【００３２】
また、ケース本体２の四方には、所定の高さを有する立ち上がり部７が形成され、ケース本体２の側方に位置する立ち上がり部７の後端部の内側には、第一の突起８が形成されている。さらに、立ち上がり部７の前方部の外側には、第二の突起９が形成されている。
【００３３】
ケースカバー３は、その両側端に、ケース本体２の立ち上がり部７の高さとほぼ同じ高さを有する側壁１０が形成されている。この側壁１０の後端部の外側には、ケース本体２の立ち上がり部７に形成された第一の突起８と対応する位置に、第一の孔１１が形成され、この第一の孔１１が、第一の突起８と嵌合して、ケース本体２とケースカバー３との回動軸を構成している。また、側壁１０の内側には、ケース本体２の立ち上がり部７に形成された第二の突起９と対応する位置に、第二の孔１２が形成されている。この第二の孔１２は、ケースカバー３がケース本体２側に閉じられたときに、第二の突起９と嵌合し、ケースカバー３とケース本体２を係止する。
【００３４】
また、ケースカバー３の側壁１０の内側には、ケースカバー３の内側に挿入されたインデックスカード４を保持するための第三の突起１３が形成され、ケースカバー３の裏面上部には、インデックスカードの飛び出しを防止するための第四の突起１４が形成されている。さらに、ケースカバー３の裏面下部には、インデックスカードの落下を防止するための第五の突起１５が形成され、これらの構成により、ケースカバー３は、その内側に、インデックスカード４が出し入れ自在に構成されている。
【００３５】
図２は、本考案の好ましい実施態様にかかるインデックスカードの略斜視図である。
【００３６】
インデックスカード４は、長方形状に形成され、図２に示されるように、折り曲げ線Ａに沿って、折り曲げ可能なブックレットタイプに形成されている。インデックスカード４は、折り曲げられて使用されるため、折り曲げた状態で、ケースカバー３の内側に挿入可能な大きさに形成されている。
【００３７】
また、インデックスカード４の中央部には、コ字形の切り抜きが形成され、タグ２１が形成されている。このタグ２１は、インデックスカード４と一体的に形成され、折り曲げ線Ａに沿って、インデックスカード４の内側に折り曲げることができるように形成されている。また、タグ２１は、インデックスカード４がケースカバー３の内側に挿入されたときに、ケースカバー３の裏面に形成された２つの第四の突起１４の間に位置する箇所に形成され、また、その長手方向の長さは、２つの第四の突起１４間の間隙よりも短くなるように形成されている。
【００３８】
以上のような構成を有する収納ケース１およびインデックスカード４は、次のようにして、使用される。
【００３９】
図３および図４は、インデックスカード４および収納ケース１のパッケージング方法を示す略斜視図である。
【００４０】
未使用状態の光記録媒体を収納した収納ケース１をパッケージングするにあたっては、まず、図３に示されるように、タグ２１を内側に折り曲げた状態で、インデックスカード４がケースカバー３の内側に挿入される。その後、未使用状態の光記録媒体が、ケース本体１に保持され、ケースカバー３が、ケース本体１側に閉鎖される。
【００４１】
次いで、インデックスカード４が挿入され、未使用状態の光記録媒体が収納された収納ケース１が、複数枚、準備され、これら複数の収納ケース１が、図４に示されるように、収納ケース１を収容するための箱形トレイ２５に収容される。最後に、箱形トレイ２５に収容された複数の収納ケース１が、１セットとして、樹脂フィルムなどにより、パッケージングされて、複数枚パックのパッケージが作製される。
【００４２】
こうしてパッケージングされた複数の収納ケース１は、次のようにして、使用される。
【００４３】
図５および図６は、収納ケース１およびインデックスカード４の使用方法を示す略斜視図である。
【００４４】
まず、複数枚パックのパッケージが開封され、パッケージングされていた複数の収納ケース１のなかから１つが選択される。その後、その選択された収納ケース１内に収納されていた光記録媒体が取り出され、記録再生機にセットされて、光記録媒体にデータが記録される。
【００４５】
次いで、図５に示されるように、収納ケース１のケースカバー３の内側に挿入されていたインデックスカード４が、ケースカバー３から引き出され、内側に折り曲げられていたタグ２１が起こされて、外側に引き出される。その後、外側に引き出されたタグ２１に、光記録媒体に記録したデータの内容などが記入され、あるいは、記録したデータの内容などに応じた着色などが施されて、再度、インデックスカード４がケースカバー３の内側に挿入される。
【００４６】
次いで、データが記録された光記録媒体が、ケース本体２に収容され、最後に、インデックスカード４のタグ２１が、収納ケース１の外側に突出した状態で、ケースカバー３が、ケース本体２側に閉鎖される。こうして、図６に示されるように、使用済みの光記録媒体は、タグ２１が収納ケース１の開口部側から外側に突出した状態で、収納ケース１に収納される。
【００４７】
このように、本実施態様によれば、光記録媒体が未使用の状態のときには、タグ２１が内側に折り曲げられて、インデックスカード４がケースカバー３に挿入され、タグ２１が収納ケース１の外側から見えない状態で、光記録媒体が収納ケース１内に収納され、一方、光記録媒体が使用済みの状態のときには、タグ２１が外側に引き出され、タグ２１が収納ケース１の開口部側から外側に突出した状態で、光記録媒体が収納ケース１内に収納される。
【００４８】
このため、複数枚パックのパッケージを開封した後でも、タグ２１が突出しているか否かに基づいて、収納ケース１内に収納された光記録媒体の使用の有無を容易に把握することが可能となる。
【００４９】
また、複数の収納ケース１を並べて保管する場合にも、タグ２１が突出している部分が上側、あるいは手前側に位置するように、収納ケース１を載置すれば、タグ２１が突出しているか否かを、一見して、認識することができるので、キャビネットなどに収納ケース１を収容したままの状態で、各収納ケース１内に収納されている光記録媒体の使用の有無を、容易に把握することができる。
【００５０】
図７は、本考案の他の好ましい実施態様にかかるインデックスカードの略斜視図である。
【００５１】
図７に示されるように、インデックスカード３０は、図２に示されたブックレットタイプのインデックスカード４と異なり、略正方形状に形成された平板タイプに形成されている。
【００５２】
収納ケース１の開口部に対応するインデックスカード３０の一辺の略中央部には、タグ３１が形成されている。このタグ３１は、図２に示されたタグ２１と同様に、その長手方向の長さが、ケースカバー３の裏面上部に形成される２つの第四の突起１４間の間隙よりも短くなるように形成され、また、折り曲げ線Ａに沿って、インデックスカード４の内側に折り曲げることができるように形成されている。
【００５３】
本実施態様においても、図１ないし図６に示された実施態様と同様に、光記録媒体が未使用の状態のときには、タグ３１を内側に折り曲げて、タグ３１が収納ケース１の外側から見えない状態で、光記録媒体を収納ケース１内に収納することができるとともに、光記録媒体が使用済みの状態のときには、タグ３１を外側に引き出して、タグ３１が収納ケース１の開口部から外側に突出した状態で、光記録媒体を収納ケース１内に収納することができる。
【００５４】
したがって、複数枚パックのパッケージを開封した後でも、タグ３１が突出しているか否かに基づいて、収納ケース１内に収納された光記録媒体の使用の有無を容易に把握することが可能となる。
【００５５】
図８は、本考案のさらに別の好ましい実施態様にかかるインデックスカードの略斜視図であり、図９は、本考案のさらに別の好ましい実施態様にかかる収納ケースの略斜視図である。
【００５６】
図８に示されるように、インデックスカード４０は、折り曲げ線Ａに沿って、折り曲げ可能なブックレットタイプに形成され、折り曲げ部分に、３つのタグ４１が形成されている。
【００５７】
また、図９に示されるように、収納ケース５０は、インデックスカード４０に３つのタグ４１が形成されているのに対応して、ケースカバー５１の裏面上部に、第四の突起５２が４つ形成されている。
【００５８】
図８に示されるように、インデックスカード４０の３つのタグ４１は、その長手方向の長さが、ケースカバー５１の裏面上部の隣り合う第四の突起５２間の間隙よりも短くなるように形成され、また、折り曲げ線Ａに沿って、インデックスカード４０の内側に折り曲げることができるように形成されている。
【００５９】
本実施態様においても、図１ないし図６に示された実施態様と同様に、光記録媒体が未使用の状態のときには、タグ４１を内側に折り曲げて、タグ４１が収納ケース１の外側から見えない状態で、光記録媒体を収納ケース１内に収納することができるとともに、光記録媒体が使用済みの状態のときには、タグ４１を外側に引き出して、タグ４１が収納ケース１の開口部から外側に突出した状態で、光記録媒体を収納ケース１内に収納することができる。
【００６０】
したがって、複数枚パックのパッケージを開封した後でも、タグ４１が突出しているか否かに基づいて、収納ケース１内に収納された光記録媒体の使用の有無を容易に把握することが可能となる。
【００６１】
さらに、本実施態様によれば、インデックスカード４０に複数のタグ４１が形成されているので、複数の収納ケース１を並べて保管する場合に、隣り合う収納ケース１間で、互いに異なる箇所のタグ４１を引き出すことができる。このため、図１０に示されるように、複数の収納ケース１を並べて保管した場合にも、隣接する収納ケース５０から突出しているタグ４１が同一直線上に並ばないようにして、複数の収納ケース５０を保管することができるので、タグ４１に記入した内容や、タグ４１に付した着色などを、容易に確認することが可能となる。
【００６２】
本考案は、以上の実施態様に限定されることなく、実用新案登録請求の範囲に記載された考案の範囲内で種々の変更が可能であり、それらも本考案の範囲内に包含されるものであることはいうまでもない。
【００６３】
たとえば、図２、図７および図８に示された実施態様においては、タグ２１、３１、４１の形状が、いずれも長方形状であるが、必ずしもタグ２１、３１、４１を長方形状に形成する必要はなく、タグ２１、３１、４１は、正方形状、半円形状、三角形状などの長方形以外の形状に形成されてもよい。
【００６４】
また、図８に示された複数のタグ４１が形成されたインデックスカード４０は、ブックレットタイプに形成されているが、必ずしもブックレットタイプに形成されている必要はなく、図７に示されたインデックスカード３０と同様に、略正方形状を有する平板タイプに形成されてもよい。
【００６５】
さらに、図８に示されたインデックスカード４０においては、タグ４１の数が３つであるが、必ずしもタグ４１の数を３つにする必要はなく、２つ、または４つ以上のタグ４１を形成するようにしてもよい。
【図面の簡単な説明】
【００６６】
【図１】図１は、本考案の好ましい実施態様にかかる光記録媒体用収納ケースの略斜視図である。
【図２】図２は、本考案の好ましい実施態様にかかるインデックスカードの略斜視図である。
【図３】図３は、収納ケースおよびインデックスカードのパッケージング方法を示す略斜視図である。
【図４】図４は、収納ケースおよびインデックスカードのパッケージング方法を示す略斜視図である。
【図５】図５は、収納ケースおよびインデックスカードの使用方法を示す略斜視図である。
【図６】図６は、収納ケースおよびインデックスカードの使用方法を示す略斜視図である。
【図７】図７は、本考案の他の好ましい実施態様にかかるインデックスカードの略斜視図である。
【図８】図８は、本考案のさらに別の好ましい実施態様にかかるインデックスカードの略斜視図である。
【図９】図９は、本考案のさらに別の好ましい実施態様にかかる収納ケースの略斜視図である。
【図１０】図１０は、図８に示されたインデックスカードが挿入された収納ケースを並べた状態を示す図である。
【図１１】図１１は、従来の収納ケースの略斜視図である。
【符号の説明】
【００６７】
１…収納ケース、２…ケース本体、３…ケースカバー、４…インデックスカード、５…凹部、６…凸部、７…立ち上がり部、８…第一の突起、９…第二の突起、１０…側壁、１１…第一の孔、１２…第二の孔、１３…第三の突起、１４…第四の突起、１５…第五の突起、２１…タグ、２５…箱形トレイ、３０…インデックスカード、３１…タグ、４０…インデックスカード、４１…タグ、５０…収納ケース、５１…ケースカバー、５２…第四の突起、６０…収納ケース、６１…ケース本体、６２…トレイ、６３…ケースカバー、６４…突起、６５…凹部、６６…凸部
【図１】
0003107461.tif 000003
【図２】
0003107461.tif 000004
【図３】
0003107461.tif 000005
【図４】
0003107461.tif 000006
【図５】
0003107461.tif 000007
【図６】
0003107461.tif 000008
【図７】
0003107461.tif 000009
【図８】
0003107461.tif 000010
【図９】
0003107461.tif 000011
【図１０】
0003107461.tif 000012
【図１１】
0003107461.tif 000013